(57)【要約】【課題】  内容物を充填密封している状態では、アルミニウム箔の外層が基材樹脂層と密着して袋の一体性が保持されるとともに、内容物を袋のまま電子レンジで加熱するに際には、バリア層をなすアルミニウム箔を基材樹脂層から容易かつ確実に剥離できて、電子レンジによる加熱効率が低下したり包装材料が異常加熱を起こすなどの不具合の全く生じない電子レンジ用袋を提供する。【解決手段】  電子レンジ用袋１は、基材樹脂層２の内層が熱溶着樹脂層３、かつ外層がアルミニウム箔のガスバリア層４からなる多層構造の袋である。基材樹脂層２の外面とガスバリア層４の内面間に易剥離性接着層５を有している。基材樹脂層２はポリアミド樹脂、熱溶着樹脂層３はポリエチレン樹脂でなるものである。【選択図】        図２
2005075412.tif 000002
【特許請求の範囲】
【請求項１】
基材樹脂層の内層が熱溶着樹脂層、かつ外層がアルミニウム箔のガスバリア層からなる多層構造の袋であって、基材樹脂層の外面とガスバリア層の内面間に易剥離性接着層を有していることを特徴とする電子レンジ用袋。
【請求項２】
基材樹脂層はポリアミド樹脂、熱溶着樹脂層はポリエチレン樹脂でなることを特徴とする請求項１記載の電子レンジ用袋。
【請求項３】
基材樹脂層を構成する樹脂材料に接着性付与剤をブレンドしてガスバリア層に対する易剥離性接着層を形成したことを特徴とする請求項１または２記載の電子レンジ用袋。
【発明の詳細な説明】
【技術分野】
【０００１】
本発明は、食品などを充填密封する袋であって、ガスバリア性を備えていて内容物の保存性にすぐれるとともに、ガスバリア層を剥離して電子レンジで内容物を加熱することができる電子レンジ用袋に関するものである。
【背景技術】
【０００２】
食品などを充填密封する袋を構成する包装材料であって、ガスバリア性に優れ、かつ電子レンジ加熱に適したものであるとして、特開平５−３３８０７５号公報は、樹脂基材層の少なくとも片面に酸化アルミニウム系薄膜層を、真空蒸着、スパター法、イオンプレーティングなどの物理蒸着法あるいは化学蒸着法により形成したものを紹介している。
【特許文献１】特開平５−３３８０７５号公報
【発明の開示】
【発明が解決しようとする課題】
【０００３】
ところで、上記特開平５−３３８０７５号公報で紹介されている包装材料のように、樹脂基材層にアルミニウム系薄膜を蒸着したものでは、アルミニウム系薄膜のアルミニウム付着密度を低くすると十分なガスバリア性が得られず、またアルミニウム系薄膜のアルミニウム付着密度を高くするとガスバリア性に優れる反面、電子レンジによる加熱効率が低下したり包装材料が異常加熱を起こすなどの問題のあることが指摘されていた。
【０００４】
そこで、本発明は、基材樹脂層の外層としてアルミニウム箔のガスバリア層を備えるとともに、基材樹脂層の外面とガスバリア層の内面間に易剥離性接着層を有している多層構造の袋としたことにより、内容物を充填密封している状態では、アルミニウム箔のガスバリア層が基材樹脂層と密着して袋の一体性が保持されるとともに、内容物を袋のまま電子レンジで加熱するに際には、ガスバリア層をなすアルミニウム箔を基材樹脂層から容易かつ確実に剥離できて、電子レンジによる加熱効率が低下したり包装材料が異常加熱を起こすなどの不具合の全く生じない電子レンジ用袋を提供することを目的とするものである。
【課題を解決するための手段】
【０００５】
上記目的を達成するための本発明の請求項１に係る電子レンジ用袋は、基材樹脂層の内層が熱溶着樹脂層、かつ外層がアルミニウム箔のガスバリア層からなる多層構造の袋であって、基材樹脂層の外面とガスバリア層の内面間に易剥離性接着層を有していることを特徴とするものである。
【０００６】
また、本発明の請求項２に係る電子レンジ用袋は、請求項１記載の構成において、基材樹脂層はポリアミド樹脂、熱溶着樹脂層はポリエチレン樹脂でなることを特徴とするものである。
【０００７】
さらに、本発明の請求項３に係る電子レンジ用袋は、請求項１または２記載の構成において、基材樹脂層を構成する樹脂材料に接着性付与剤をブレンドしてガスバリア層に対する易剥離性接着層を形成したことを特徴とするものである。
【発明の効果】
【０００８】
本発明によれば、基材樹脂層の外層としてアルミニウム箔のガスバリア層を備えるとともに、基材樹脂層の外面とガスバリア層の内面間に易剥離性接着層を有している多層構造の袋としたことにより、内容物を充填密封している状態では、アルミニウム箔の外層が基材樹脂層と密着して袋の一体性が保持されるとともに、内容物を袋のまま電子レンジで加熱するに際には、バリア層をなすアルミニウム箔を基材樹脂層から容易かつ確実に剥離できて、かつ加熱時に水蒸気を逃がす穴が、アルミニウム箔剥離時に開き、電子レンジによる加熱効率が低下したり包装材料が異常加熱を起こすなどの不具合の全く生じない電子レンジ用袋を提供することができる。
【発明を実施するための最良の形態】
【０００９】
図１は本発明の一実施の形態に係る電子レンジ用袋の斜視図、図２は同上断面図である。
【００１０】
図１および図２は、本発明に係る電子レンジ用袋として、カレーなどの粘性食品を充填密封した形態を例示している。本発明に係る電子レンジ用袋１は、基材樹脂層２、その内層である熱溶着樹脂層３、および外層であるガスバリア層４からなり、基材樹脂層２はポリアミド（ナイロン）樹脂、熱溶着樹脂層３はポリエチレン樹脂、ガスバリア層４はアルミニウム箔からなり、基材樹脂層２の外面とガスバリア層４の内面の間には易剥離性接着層５を介在させてあって、基材樹脂層２とアルミニウム箔からなるガスバリア層４とは、易剥離性接着層５により密着されて袋としての一体化が図られている。この易剥離性接着層５は、基材樹脂層２を構成するポリアミド樹脂材料に接着性付与剤をブレンドすることによって、アルミニウム箔であるガスバリア層４に対する易剥離性をもたせるようにすることができる
【００１１】
電子レンジ用袋１は、基材樹脂層２、その内層である熱溶着樹脂層３、および外層であるガスバリア層４からなる多層フィルム２枚をそれらの熱溶着樹脂層３が互いに対面するように重ね、それらの両側周部および底週部を熱溶着して一端が開口した袋を形成し、袋に内容物を充填して開口端周部を熱溶着して袋を密封する。６はそれらの熱シール部、７は内容物であるカレーである。袋の開口端８側の位置側にはノッチ（切り込み）９が形成されており、このノッチ９から袋を引き裂いて容易に開口できるようにしてある。袋の開口端側８は、基材樹脂層２の外面とガスバリア層４が剥離していて、基材樹脂層２のその部分は摘み部１０を、ガスバリア層４の剥離部分は剥離摘み部１１，１１をなしている。袋の開口端側８の熱シール部６には、基材樹脂層２と熱溶着樹脂層３を貫通する穴１２が設けられている。この穴１２はアルミニウム箔のガスバリア層４により塞がれているが、ガスバリア層４を剥離すると外気に通じるように開口して、電子レンジによる加熱時に内部に発生する水蒸気を逃がす穴となるものである。上記穴１２は電子レンジ用袋１の一面だけでなく両面に設けてもよい。
【００１２】
本発明に係る電子レンジ用袋１は、基材樹脂層２の外層としてアルミニウム箔のガスバリア層４を備えるとともに、基材樹脂層２の外面とガスバリア層４の内面間に易剥離性接着層５を有している多層構造の袋であるから、内容物を充填密封している状態では、ガスバリア層５のアルミニウム箔が基材樹脂層２と密着して袋の一体性が保持される。このため、袋の外観性、手触り性などに優れており、またアルミニウム箔が外層をなしているガスバリア層５に引き裂き傷が発生しないので、内容物の高い保存性が保持される。
【００１３】
そして、内容物を袋のまま電子レンジで加熱するに際には、基材樹脂層２の摘み部１０を摘んでガスバリア層５の剥離摘み部１１，１１を引けば、基材樹脂層２からガスバリア層５を容易かつ確実に剥離できるので、電子レンジによって内容物を効率よく、しかも包装材料が異常加熱を起こすなどの不具合を全く生じさせることなく加熱処理することができる。
【産業上の利用可能性】
【００１４】
本発明に係る電子レンジ用袋は、電子レンジによりそのまま加熱調理できる各種食品用として汎用性が高く、カレー、シチューなどの粘性食品、調理済み魚介類や肉類、炊き上がり米飯およびその味付け米飯類、非常用食品用などの袋として広範囲な分野での利用拡大が期待できるものである。
【図面の簡単な説明】
【００１５】
【図１】本発明の一実施の形態に係る電子レンジ用袋の斜視図である。
【図２】同上断面図である。
【図３】一部の詳細断面図である。
【符号の説明】
【００１６】
１  電子レンジレンジ用袋
２  基材樹脂層
３  熱溶着樹脂層
４  ガスバリア層
５  易剥離性接着層
６  熱シール部
７  内容物であるカレー 
８  袋の開口端
９  ノッチ
１０  摘み部
１１，１１  剥離摘み部
１２  穴
【図１】
2005075412.tif 000003
【図２】
2005075412.tif 000004
【図３】
2005075412.tif 000005